(57)【要約】【課題】所望の色温度を選択的に得ることができる照明器具において、所望の色温度を安定して得ることができ、更には、色むらの発生を抑制する。【解決手段】複数のＬＥＤ１と、棒体状に形成されてＬＥＤ１が軸方向に沿って並設される支持体２と、筒状に形成されてＬＥＤ１の光を透過し、軸方向に形成される透過板３０が周方向に複数配設されて軸方向に直交する断面が正多角形枠状に形成され、複数の透過板３０に各々対向する複数の蛍光体層３１が設けられ、少なくとも１つの蛍光体層３１が他の蛍光体層３１とは異なる発光波長を有し、内径部３ａに支持体２が軸方向に挿通して軸方向に直交する面において回転自在に支持体２に支持される蛍光体部３とを備え、支持体２は、互いに隣り合ういずれか２つの透過板３０で形成される角部３０ａに嵌まり込む嵌装部２２が外周面に形成され、ＬＥＤ１は、蛍光体部３の軸心近傍に位置する。【選択図】図１
2011222319.tif 000002
【特許請求の範囲】
【請求項１】
複数の光源と、
略棒体状に形成されて前記光源が軸方向に沿って並設される支持体と、
筒状に形成されて前記光源の光を透過し、軸方向に形成される透過面が周方向に複数配設されて軸方向に直交する断面の内周が正多角形状に形成され、前記複数の透過面に各々対向する複数の蛍光体層が設けられ、前記複数の蛍光体層の内、少なくとも１つの蛍光体層が他の蛍光体層とは異なる発光波長を有し、前記複数の透過面によって囲まれた内径部に前記支持体が軸方向に挿通して当該軸方向に直交する面において回転自在に前記支持体に支持される蛍光体部とを備え、
前記支持体は、互いに隣り合ういずれか２つの透過面で形成される角部に嵌まり込む嵌装部が外周面に形成され、前記光源は、前記蛍光体部の軸心近傍に位置することを特徴とする照明器具。
【請求項２】
前記蛍光体部は、軸方向に直交する断面が正多角形枠状の筒体と、当該筒体の前記複数の透過面の各々に設けた複数の蛍光体層とから構成され、少なくとも１つの透過面が有する蛍光体層は、他の透過面が有する蛍光体層と発光波長が互いに異なることを特徴とする請求項１記載の照明器具。
【請求項３】
前記複数の透過面は、互いに発光波長の異なる蛍光体層をそれぞれ有することを特徴とする請求項２記載の照明器具。
【請求項４】
前記蛍光体部は、前記透過面が周方向に複数配設されて軸方向に直交する断面が正多角形枠状の第一の筒体と、軸方向に直交する断面が円形枠状に形成されて前記第一の筒体が内接し、前記複数の透過面に各々対向する複数の円弧部が周方向に形成される第二の筒体と、前記複数の円弧部に各々設けられる蛍光体層とから構成され、少なくとも１つの円弧部が有する蛍光体層は、他の円弧部が有する蛍光体層と発光波長が互いに異なることを特徴とする請求項１記載の照明器具。
【請求項５】
前記複数の円弧部は、互いに発光波長の異なる蛍光体層をそれぞれ有することを特徴とする請求項４記載の照明器具。
【請求項６】
前記光源は、青色ＬＥＤと紫外ＬＥＤとの少なくともいずれか一方から構成されることを特徴とする請求項１乃至５いずれか記載の照明器具。
【発明の詳細な説明】
【技術分野】
【０００１】
本発明は、照明器具に関するものである。
【背景技術】
【０００２】
従来から、図９に示すように、複数のＬＥＤ１０１と支持体１０２と支持棒１０３と蛍光体部１０４とを備える照明器具が提供されている（例えば、特許文献１参照）。
【０００３】
支持体１０２は、直方体状に形成されて複数のＬＥＤ１０１が長手方向に沿って一面に並設され、長手方向に沿って支持棒１０３が挿通する。
【０００４】
蛍光体部１０４は、軸方向に直交する断面が円形枠型の筒状に形成され、内径部に軸方向に沿って支持棒１０３が挿通する。そして。蛍光体部１０４は、長手方向の両端部が支持棒１０３に回転自在に軸支されて軸方向に直交する面において当該支持棒１０３を中心に回転する。また、蛍光体部１０４は、周方向に沿って６つの領域に分割されて当該各領域に発光波長の異なる蛍光体１０４ａ〜１０４ｃが設けられている。
【０００５】
ここで、支持棒１０３は、蛍光体部１０４の軸心に略一致しており、支持体１０２に並設されたＬＥＤ１０１は、蛍光体部１０４の軸心から蛍光体部１０４の内周面側へ偏倚した箇所に位置し、当該蛍光体部１０４の内周面に対向して近接する。
【０００６】
上記照明器具では、蛍光体部１０４を回転させて、当該蛍光体部１０４に形成された各蛍光体層１０４ａ〜１０４ｃの内のいずれか１つを光源１０１と対向する位置に移動させる位置合わせを行うことで、所望の色温度を選択的に得ようとするものである。
【先行技術文献】
【特許文献】
【０００７】
【特許文献１】特開２００９−０１６０５８号公報
【発明の概要】
【発明が解決しようとする課題】
【０００８】
上記従来例における照明器具では、蛍光体部１０４が円筒状で支持棒１０３に回転自在に軸支されていることから、上記位置合わせを行った後に、例えば振動等によって意図せず蛍光体部１０４が回転する虞があった。つまり、蛍光体部１０４を所望の色温度が得られる位置まで回転させた後に、蛍光体部１０４が位置ずれを起こして所望の色温度が得られなくなる虞があった。
【０００９】
また、光源１０１が蛍光体部１０４に近接していることから、光源１０１から発せられる光は、蛍光体部１０４に至る経路によって、当該蛍光体部１０４を通過する距離に差が生じる。例えば、照射範囲の中央で蛍光体部１０４内を透過する光の距離Ｌ１１は、照射範囲の端部で蛍光体部１０４内を透過する光の距離Ｌ１２に比べて短い。そのため、上記経路によって励起される蛍光体の量が異なるため、蛍光体部１０４から発せられる光に色むらが発生する虞がある。
【００１０】
本発明は、上記事由に鑑みてなされたものであり、その目的は、所望の色温度を選択的に得ることができる照明器具において、所望の色温度を安定して得ることができ、更には、色むらの発生を抑制することにある。
【課題を解決するための手段】
【００１１】
上記課題を解決するために本発明の照明器具は、複数の光源と、略棒体状に形成されて前記光源が軸方向に沿って並設される支持体と、筒状に形成されて前記光源の光を透過し、軸方向に形成される透過面が周方向に複数配設されて軸方向に直交する断面の内周が正多角形状に形成され、前記複数の透過面に各々対向する複数の蛍光体層が設けられ、前記複数の蛍光体層の内、少なくとも１つの蛍光体層が他の蛍光体層とは異なる発光波長を有し、前記複数の透過面によって囲まれた内径部に前記支持体が軸方向に挿通して当該軸方向に直交する面において回転自在に前記支持体に支持される蛍光体部とを備え、前記支持体は、互いに隣り合ういずれか２つの透過面で形成される角部に嵌まり込む嵌装部が外周面に形成され、前記光源は、前記蛍光体部の軸心近傍に位置することを特徴とする。
【００１２】
この照明器具において、前記蛍光体部は、軸方向に直交する断面が正多角形枠状の筒体と、当該筒体の前記複数の透過面の各々に設けた複数の蛍光体層とから構成され、少なくとも１つの透過面が有する蛍光体層は、他の透過面が有する蛍光体層と発光波長が互いに異なることが好ましい。
【００１３】
この照明器具において、前記複数の透過面は、互いに発光波長の異なる蛍光体層をそれぞれ有することが好ましい。
【００１４】
この照明器具において、前記蛍光体部は、前記透過面が周方向に複数配設されて軸方向に直交する断面が正多角形枠状の第一の筒体と、軸方向に直交する断面が円形枠状に形成されて前記第一の筒体が内接し、前記複数の透過面に各々対向する複数の円弧部が周方向に形成される第二の筒体と、前記複数の円弧部に各々設けられる蛍光体層とから構成され、少なくとも１つの円弧部が有する蛍光体層は、他の円弧部が有する蛍光体層と発光波長が互いに異なることが好ましい。
【００１５】
この照明器具において、前記複数の円弧部は、互いに発光波長の異なる蛍光体層をそれぞれ有することが好ましい。
【００１６】
この照明器具において、前記光源は、青色ＬＥＤと紫外ＬＥＤとの少なくともいずれか一方から構成されることが好ましい。
【発明の効果】
【００１７】
本発明では、所望の色温度を選択的に得ることができる照明器具において、所望の色温度を安定して得ることができ、更には、色むらの発生を抑制することができるという効果がある。
【図面の簡単な説明】
【００１８】
【図１】本発明の実施形態１における照明器具の断面図を示す。
【図２】同上における照明器具を備えるデスクスタンドの斜視図を示す。
【図３】同上における照明器具の断面図を示す。
【図４】本発明の実施形態２における照明器具の断面図を示す。
【図５】本発明の実施形態３における照明器具の断面図を示す。
【図６】同上における照明器具の別形態の断面図を示す。
【図７】同上における照明器具の別形態の断面図を示す。
【図８】本発明の実施形態４における照明器具の断面図を示す。
【図９】従来例の照明器具における断面図を示す。
【発明を実施するための形態】
【００１９】
以下、本発明の実施の形態を図面に基づいて説明する。
【００２０】
（実施形態１）
本実施形態の照明器具について図１〜３を用いて説明を行う。
【００２１】
本実施形態の照明器具は、図１に示すように、ＬＥＤ（光源）１と、ＬＥＤ１が並設される基板１０と、基板１０が配設される棒体状の支持体２と、支持体２に支持固定される蛍光体部３とを備えている。以下、図１における上下左右を基準とし、上下左右方向と直交する方向を前後方向として説明を行う。
【００２２】
ＬＥＤ１は、青色光を発するＬＥＤチップ１１と、青色光によって励起されて黄色光を発する蛍光体を有してＬＥＤチップ１１を覆う略ドーム状のレンズ１２とから構成される。ここで、上記蛍光体は、例えば、Ｙ３Ａｌ５Ｏ１２：Ｃｅから構成される。そして、ＬＥＤ１は、上記構成により、例えば、色温度６５００Ｋの昼光色を発する白色ＬＥＤとなっている。そして、複数（本実施形態では６個）のＬＥＤ１が、長尺状の基板１０に長手方向に沿って並設される。
【００２３】
支持体２は、アルミニウムにより長尺（本実施形態では２０ｃｍ）棒状に形成されている。ここで、支持体２は、長手（前後）方向に直交する断面が略正方形型に形成され、１つの角部（下方の角部）が、当該角部と対向する角部（対角）２２側へ切り欠かれて凹部２１が形成される。そして、凹部２１の底面２１ａに基板１０が配設されることで、前後方向に沿って複数のＬＥＤ１が並設される。
【００２４】
蛍光体部３は、支持体２の軸方向に形成される光透過性のポリカーボネートからなる略矩形状の透過板３０を周方向に４枚配設し、各透過板３０の長辺同士を互いに接着することで軸方向に直交する断面が正四角形枠型の筒状に形成されている。そして、蛍光体部３を形成する４つの透過板３０の内、互いに隣り合ういずれか２つの透過板３０は、ＳＣＡＳＮ蛍光体（化学式（ＳｒＣａ）ＡｌＳｉＮ３：Ｅｕ）が約５．５ｗｔ％分散されたポリカーボネート樹脂から成型されて赤色透過板（蛍光体層）３０Ａとなっている。また、残り２つの透過板３０は、蛍光体を有していないポリカーボネート樹脂から成型されて透明透過板３０Ｂとなっている。つまり、ＬＥＤ１の光が透過する透過面（透過板３０の表面若しくは裏面）に対向して、蛍光体（蛍光体層）が形成されている。
【００２５】
なお、以下、赤色透過面３０Ａと透明透過面３０Ｂとを区別しない場合、透過面３０と称する。
【００２６】
また、蛍光体部３は、軸方向における断面が正四角形枠型に形成されていることから、各透過板３０間に形成される角部３０ａの内角が９０度となっており、支持体２は、軸方向における断面が正方形型であることから各角部の角度θが９０度に形成されている。
【００２７】
そして、蛍光体部３の内径部３ａに当該蛍光体部３の軸方向に沿って支持体２が挿通して、当該支持体２の凹部２１に対向する角部（以下、嵌装部と称する）２２上に、蛍光体部３が載置される。その際、蛍光体部３の４つの角部３０ａの内、いずれか１つの角部３０ａの内角が、支持体２の嵌装部２２に嵌まり込む。そして、支持体２の嵌装部２２を形成する２つの面２２ａと、蛍光体部３の角部３０ａの内角を形成する２つの透過板３０の裏面（透過面）３０ｂとが面接触する。これにより、蛍光体部３は、軸方向に直交する面での回転が規制されて支持体２に支持固定される。
【００２８】
また、蛍光体部３が支持体２に支持固定された際、ＬＥＤチップ１０が蛍光体部３の軸心近傍に位置するように、各部の寸法が設定される。そして、ＬＥＤ１におけるレンズ１２の配光特性は、当該レンズ１２を透過した光が、図１に示す一点鎖線よりも下側の２つの透過板３０を含む領域を照射するように設定される。
【００２９】
そして、上記本実施形態の照明器具は、例えば、図２に示すようなデスクスタンドに適用される。上記デスクスタンドは、商用電源等から給電ケーブル５１を介して電源が供給される図示しない電源回路を収納するベース５と、支持体２に軸方向に沿って挿通して両端がベース５の上面に支持固定されるアーム５２とを供える。アーム５２は、中空パイプ状に形成されて内部に図示しない給電線が挿通し、当該給電線を介して電源回路から支持体２に並設されたＬＥＤ１に所望の点灯電力（本実施形態では、約９．５Ｗ）が供給されて、当該ＬＥＤ１が発光する。ここで、支持体２は、アルミニウムから形成されていることから、給電線等において発生した熱は、当該支持体２によって効率良く放熱される。
【００３０】
そして、図１に示すように、透明透過板３０ＢがＬＥＤ１に対向している場合、ＬＥＤ１から発せられた白色光は、発光波長が変換されることなく透明透過板３０Ｂを透過し、透明透過板３０Ｂから色温度約６５００Ｋ、約７００ｌｍの昼光色が照射される。
【００３１】
また、蛍光体部３を図１において上方向へ持ち上げて、支持体２の嵌装部２２に、蛍光体部３の角部３０ａの内角が嵌め込まれた状態を解除し、蛍光体部３を当該蛍光体部３の軸方向の周りに１８０度回転させる。その後、蛍光体部３における角部３０ａの内角を再度支持体２の嵌装部２２上に載置する。これにより、図３に示すように、蛍光体部３が支持体２に再度支持固定され、ＬＥＤ１の照射範囲（図３における一点鎖線よりも下方）から透明透過板３０Ｂが外れて赤色透過板３０Ａが含まれる。そして、ＬＥＤ１から発せられた白色光は、赤色透過板３０Ａに入射して発光波長が変換され、当該赤色透過板３０Ａから色温度２８００Ｋ、約５２０ｌｍの電球色が照射される。以下、赤色透過板３０Ａに入射した光が、当該赤色透過板３０Ａによって波長変換されることを波長変換処理と称する。
【００３２】
上記構成からなる本実施形態の照明器具では、嵌装部２２が、蛍光体部３における角部３０ａの内角に嵌まり込んで面接触する。そのため、蛍光体部４は、回転方向への移動が規制されて振動等によって意図せず回転することを防止できる。例えば、ＬＥＤ１に赤色透過板３０Ａが対向するように蛍光体部３の位置決めを行った後に、振動等によって蛍光体部４が回転してＬＥＤ１の照射範囲に透明透過板３０Ｂが含まれることを防止できる。
【００３３】
従って、本実施形態の照明器具は、蛍光体部３を回転させるだけで容易に色温度を選択的に得ることができ、蛍光体部３を所望の色温度が得られる位置で安定して支持固定することができる。
【００３４】
また、ＬＥＤチップ１１が、蛍光体部３の軸心近傍に位置していることから、ＬＥＤ１１から発せられる光は、蛍光体部３に至るいずれの経路を通る場合であっても、当該蛍光体部３を通過する際の光路長が略等しい。例えば、ＬＥＤ１に赤色透過板３０Ａが対向している場合、ＬＥＤ１から発せられる鉛直（上下）方向への光が赤色透過板３０Ａを透過する際の光路長Ｌ１と、略水平（左右）方向への光が赤色透過板３０Ｂを透過する際の光路長Ｌ２とは略等しい。また、ＬＥＤ１から発せられる光は、蛍光体部３に至るいずれの経路を通る場合にも、ＬＥＤ１から蛍光体部３までの長さが略等しくなることから、いずれの経路を通る場合であっても蛍光体部３には、略等しい光束を有した光が入射する。
【００３５】
そのため、ＬＥＤ１から発せられた光は、蛍光体部３に至るいずれの経路を通る場合であっても、当該蛍光体部３において波長変換処理が等しくなされる。
【００３６】
従って、本実施形態の照明器具では、蛍光体部３から発せられる光に色むらが発生することを抑制できて均斉度を向上させることができる。
【００３７】
なお、本実施形態では、蛍光体部３の形状を断面が正四角形枠型の筒状としているが、蛍光体部３の形状はこれに限定されず、断面が正多角形枠型の筒状であればよい。また、支持体２の形状についても、断面が正方形型の棒体状に限定されず、嵌装部２２の角度θが、蛍光体部３の角部３０ａと等しい角度に設定されて、嵌装部２２に角部３０ａが嵌め込まれるように形成されていればよい。
【００３８】
また、本実施形態では、蛍光体部３を１８０度回転させているが、当該回転角は９０度であってもよい。
【００３９】
（実施形態２）
本実施形態の照明器具について図４を用いて説明を行う。本実施形態の照明器具と図１に示す実施形態１の照明器具とでは、蛍光体部３の代わりに蛍光体部６を備えている点のみが異なっている。なお、実施形態１と共通する構造については共通の符号を付して説明を省略する。
【００４０】
蛍光体部６は、軸方向に直交する断面が、正四角形枠型の角筒体（第一の筒体）６１と、軸方向に直交する断面が略円形枠型の円筒体（第二の筒体）６２とから構成される。
【００４１】
角筒体６１は、実施形態１で示した４つの透明透過板３０Ｂから軸方向に直交する断面が正四角形枠型に形成される。そして、角筒体６１の内径部６ａには、当該角筒体６１の軸方向に沿って支持体２が挿通する。
【００４２】
そして、支持体２の嵌装部２２上に、各透明透過板３０Ａ間に形成される角部３０ａの内角が載置される。これにより、角部３０ａの内角が、嵌装部２２に嵌まり込み、更に、当該角部３０ａを形成する２つの透明透過板３０Ｂの裏面が、嵌装部２２を形成する２つの面２２ａに面接触する。これにより、角筒体６１は、支持体２に支持固定されて当該角筒体の軸方向の周りにおいて回転が規制される。
【００４３】
円筒体６２は、軸方向に直交する断面が円形枠型の筒状に形成され、その内周面には略等間隔（９０度毎）にＶ字溝６２ａが形成されている。そして、円筒体６２の内径部には、当該円筒体に軸方向に沿って角筒体６１が挿入されて、各Ｖ字溝６２ａに角筒体６１の各角部３０ａが嵌まり込む。これにより、各筒体６１と円筒体６２とが一体に設けられている。
【００４４】
また、円筒体６２は、各Ｖ字溝６２ａ間に、各筒体６１の各透過面３０にそれぞれ対向する４つの円弧部６２１が形成されている。４つの円弧部６２１の内、互いに隣り合ういずれか２つの円弧部６２１は、例えば、ＳＣＡＳＮ蛍光体が分散されたポリカーボネート樹脂から成型されて赤色円弧部６２１Ａとなっている。また、残り２つの円弧部６２１は、蛍光体を有していないポリカーボネート樹脂から成型されて透明円弧部６２１Ｂとなっている。なお、以下、赤色円弧部６２１Ａと透明円弧部６２１Ｂとを区別しない場合、円弧部６２１と称する。
【００４５】
ここで、ＬＥＤ１におけるレンズ１２の配光特性は、角筒体６１が支持体２に支持固定された際に、レンズ１２を透過する光が、図４に示す一点鎖線よりも下側の２つの円弧部６２１を含む領域を照射するように設定される。そして、ＬＥＤ１から発せられた光は、角筒体６１の透過面３０を透過した後、円筒体６２の円弧部６２１に入射する。
【００４６】
そして、ＬＥＤ１から発せられた白色光が赤色円弧部６２１Ａに入射した場合、当該白色光は、赤色円弧部６２１Ａによって色温度２８００Ｋ、約５２０ｌｍの電球色に波長変換されて照射される。また、前記白色光が透明円弧部６２１Ｂに入射した場合、当該白色光は、波長が変換されることなく透明円弧部を透過し、当該透明円弧部から色温度約６５００Ｋ、約７００ｌｍの昼光色が照射される。
【００４７】
上記構成からなる本実施形態の照明器具は、角筒体６１が、支持体２によって回転方向への移動が規制されると共に支持固定されていることから。角筒体６１に一体に設けられた円筒体６２も回転が規制される。
【００４８】
従って、本実施形態の照明器具は、蛍光体部６が支持体２に支持固定されて、当該蛍光体部６が軸方向に直行する面で意図せず回転することを防止できるため、所望の色温度を安定して得ることができる。
【００４９】
また、本実施形態の照明器具では、軸方向に直交する断面が円形枠型である円筒体６２に蛍光体が設けられて、ＬＥＤ１が蛍光体部６（円筒体６２）の軸心近傍に位置している。そのため、ＬＥＤ１１から発せられる光は、円筒体６２に至るいずれの経路を通る場合であっても、当該円筒体６２を透過する際の光路長がより均一となる。例えば、ＬＥＤ１に赤色円弧部６２１Ａが対向している場合、ＬＥＤ１から発せられる鉛直（上下）方向への光が赤色円弧部６２１Ａを透過する際の光路長Ｌ３と、略水平（左右）方向への光が透明円弧部６２１Ｂを透過する際の光路長Ｌ４とは略等しい。
【００５０】
また、蛍光体を有する赤色蛍光体部６２１Ａが断面円形枠型であることから、図１で示した断面正四角形枠型の蛍光体部３を用いる場合に比べて、ＬＥＤ１から蛍光体（赤色蛍光体部６２１Ａ）に至るいずれの経路も、その長さがより均一となっている。そのため、ＬＥＤ１から赤色蛍光体部６２１Ａに至るいずれの経路を通る場合であっても、蛍光体部６には、より等しい光束の光が入射する。
【００５１】
従って、本実施形態の照明器具では、蛍光体部６から発せられる光に色むらが発生することをより抑制できて均斉度を更に向上させることができる。
【００５２】
更に、蛍光体部６の外形が円形であることから、外観を向上させることができる。なお、本実施形態では、蛍光体が円筒体６２に設けられているが、蛍光体は角筒体６１に設けられるものであってもよい。
【００５３】
（実施形態３）
本実施形態の照明器具について図５を用いて説明を行う。本実施形態の照明器具と図１に示す実施形態１の照明器具とでは、蛍光体部３の代わりに蛍光体部７が設けられて支持体２における嵌装部２２の角度θが異なっている。なお、その他の構成については、実施形態１と共通であるため、共通の符号を付して説明を省略する。
【００５４】
蛍光体部７は、図５に示すように、軸方向に長い略矩形状の透過板７１が、周方向に８つ配設されて軸方向に直交する断面が正八角形枠型の筒状に形成されている。ここで、８つの透過板７１は、周方向において、２枚ごとにポリカーボネート樹脂に含まれるＳＣＡＳＮ蛍光体（赤色蛍光体）の濃度が、０ｗｔ％、約３ｗｔ％、約４．５ｗｔ％、約３ｗｔ％に設定されている。つまり、赤色蛍光体を含まない２つの透過板７１Ａ、赤色蛍光体の濃度が約３ｗｔ％の２つの透過板７１Ｂ、赤色蛍光体の濃度が約４．５ｗｔ％の２つの透過板７１Ｃ、赤色蛍光体の濃度が約３ｗｔ％の２つの透過板７１Ｂが、周方向に順に配設されている。なお、以下、透過板７１Ａ〜７１Ｃを区別しない場合、透過板７１と称する。
【００５５】
ここで、ＬＥＤ１から発せられる光は、透過する透過板７１のＳＣＡＳＮ蛍光体の濃度に応じて異なる強度で発光する。
【００５６】
また、支持体２は、嵌装部２２の角度θが、軸方向に直交する断面が正八角形枠型の蛍光体部７における各透過板７１間に形成される角部７０ａの内角と略等しい１３５度に設定されている。そして、嵌装部２２に、角部７０ａの内角が嵌まり込み、更に、嵌装部２２を形成する２つの面２２ａと、角部７０ａを形成する２つの内面７０ｂとが面接触することで、蛍光体部７が支持体２に安定して支持固定される。
【００５７】
また、ＬＥＤ１におけるレンズ１２の配光特性は、当該レンズ１２を透過した光が、図５に示す一点鎖線よりも下側の２つの透過板７１を含む領域を照射するように設定される。
【００５８】
そして、蛍光体部７を当該蛍光体７の軸方向の周りに９０度回転させるごとに、ＬＥＤ１の照射範囲に含まれる２つの透過板７１が、透過板７１Ａ→透過板７１Ｂ→透過板７１Ｃ→透過板７１Ｂの順に入れ替わる。これにより蛍光体部７から照射される光が、色温度約５０００Ｋの昼白色→色温度約３５００Ｋの温白色→色温度約２８００Ｋの電球色→色温度約３５００Ｋの温白色の順に段階的に切り替えられる。
【００５９】
また、本実施形態では、蛍光体部７が断面正八角形枠型に形成されることで、図１に示す断面正四角枠型の蛍光体部３に比べて蛍光体を設けることができる透過板（透過板７１）の数が多い。
【００６０】
従って、本実施形態の照明器具では、蛍光体部７が支持体２に安定して支持固定されることから所望の色温度を安定して得ることができ、更に、発光波長が互いに異なるより多くの光を段階的に照射することができる。
【００６１】
なお、本実施形態では、蛍光体部７が、断面正八角形枠型の筒状に形成されているが、蛍光体部７は、正ｎ角形（ｎは３以上の整数）の枠型であればよく、ｎが偶数の場合の断面を偶数角形枠型、ｎが奇数の場合の断面を奇数角形枠型と称する。
【００６２】
ここで、蛍光体部７が、断面偶数角形枠型である場合、例えば図６に示す断面正六角形枠型の場合には、支持体２の嵌装部２２の角度θが１２０度に設定される。そして、嵌装部２２に蛍光体部７における角部７０ａの内角が嵌め込まれ、一点鎖線よりも下側のＬＥＤ１の照射範囲に、２つの透過板７１Ｂが含まれる。従って、蛍光体部７が、断面偶数角形枠型の場合、２つの透過板７１毎に異なる発光波長を有する蛍光体を設けることで、色温度が互いに異なるｎ/２種類の光を段階的に照射することができる。
【００６３】
一方、蛍光体部７が断面奇数角形枠型である場合には、ＬＥＤ１の照射範囲に１つの透過板７１が含まれる。従って、蛍光体部７が、断面奇数角形枠型の場合には、透過板７１毎に異なる発光波長を有する蛍光体を設けることで、色温度が互いに異なるｎ種類の光を段階的に照射することができる。
【００６４】
また、図７に示すように、蛍光体部７が断面偶数角形枠型である場合に、蛍光体部７を形成する各透過板７１Ａ〜７１Ｈ（蛍光体部７が正八角形である場合）にそれぞれ異なる発光波長を有した蛍光体を設けることもできる。例えば、図７において、一点鎖線よりも下側のＬＥＤ１の照射範囲に含まれる２つの透過板７１（７１Ｄ，７１Ｅ）の内、例えば透過面７１Ｄ側へ照射される光を遮光する遮光体２３を設けてもよい。
【００６５】
遮光体２３は、支持体２における凹部２１の底面２１ａから凹部２１の側壁に沿って開口部まで形成される一対の基部２３ａと、当会基部２３ａの先端から、透過板７１Ｅに直交する方向と略平行に延設される延設部２３ｂとから構成される。ここで、遮光体２３は、凹部２１内において支持体２の軸方向の一端側から他端側にかけて形成されている。
【００６６】
これにより、ＬＥＤ１の照射範囲は、図７における２点鎖線よりも下側の１つの透過板７１（透過板７１Ｅ）を含む範囲に縮小されて透過板７１Ｄが照射範囲から外れる。これにより、蛍光体部７を軸方向の周りで４５度づつ回転させることで、発光波長が互いに異なる透過板７１Ａ〜７１Ｈの内のいずれか１つが、ＬＥＤ１の照射範囲に順次入れ替わり含まれることになる。
【００６７】
従って、蛍光体部７が断面偶数角形枠型である場合にも、遮光体２３を設けることで、色温度が互いに異なるｎ種類の光を段階的に照射することができる。
【００６８】
（実施形態４）
本実施形態の照明器具について図８を用いて説明を行う。本実施形態の照明器具と図１に示す実施形態１の照明器具とでは、白色ＬＥＤ１の代わりに青色ＬＥＤ８が用いられている点、及び蛍光体部３（断面が正四角形枠型）の代わりに蛍光体部９（断面が正五角形枠型）が用いられている点が異なっている。なお、その他の構成については、実施形態１と共通であるため、共通の符号を付して説明を省略する。
【００６９】
青色ＬＥＤ８は、青色光を発するＬＥＤチップ８１と、当該ＬＥＤチップ８１を覆う蛍光体を有していないレンズ８２とから構成される。
【００７０】
蛍光体部９は、図８（ａ）に示すように、軸方向に長い透過板９１Ａ〜９１Ｅが周方向に配設されて、軸方向に直交する断面が正五角形枠型の筒状に形成されている。なお、透過板９１Ａ〜９１Ｅを区別しない場合は、透過板９１と称する。
【００７１】
各透過板９１Ａ〜９１Ｅは、黄色発光のＹＡＧ蛍光体と赤色発光のＳＣＡＳＮ蛍光体とを適宜混合調整した蛍光体を含んでおり、青色ＬＥＤ８の光によって励起されてそれぞれ異なる色温度の光を発する。つまり、各透過板９１Ａ〜９１Ｅには、ＹＡＧ蛍光体とＳＣＡＳＮ蛍光体との混合比率が互いに異なる蛍光体が設けられている。これにより、各透過板９１Ａ〜９１Ｅは、青色ＬＥＤ９から発せられる青色光によって、色温度約６５００Ｋの昼光色、色温度約５０００Ｋの昼白色、色温度約４２００Ｋの白色、色温度約３５００Ｋの温白色、色温度約２８００Ｋの電球色をそれぞれ励起発光する。
【００７２】
ここで、青色ＬＥＤ８におけるレンズ８２の配光特性は、当該レンズ８２を透過した光が、図８（ａ）に示す一点鎖線よりも下側の１つの透過板９１を含む領域を照射するように設定される。
【００７３】
そして、照射する光の色温度を変更する際には、蛍光体部９を図８（ａ）における上方へ持ち上げて、図８（ｂ）に示すように、当該蛍光体部９の軸方向の周りに７２度回転させる。そして、図８（ｃ）に示すように、所望の色温度の光を励起発光する透過板９１が青色ＬＥＤ８と対向する位置で、支持体２の嵌装部２２上に蛍光体部９の角部９０ａの内角を載置する。これにより、嵌装部２２が、角部９０ａの内角に嵌まり込み、更に、嵌装部２２を形成する２つの面２２ａと、角部９０ａを形成する２つの面９０ｂとが面接触して、蛍光体部９が支持体２に再度支持固定される。
【００７４】
本実施形態の照明器具は、青色ＬＥＤ８のレンズ８２に蛍光体が設けられていないため、ＬＥＤチップ８１から発せられる青色光は、波長変換処理が行われることなくレンズ８２を透過し、蛍光体部９で波長変換処理が行われて所望の色温度の光に変換される。つまり、光源として青色ＬＥＤ８を用いた場合には、所望の色温度の光を得るために波長変換処理が１回行われる。
【００７５】
一方、光源として実施形態１で示した白色ＬＥＤ１を用いた場合、ＬＥＤチップ１１から発せられた青色光は、まず、蛍光体層を有するレンズ１２で波長変換処理がなされて白色光に変換される。続いて、レンズ１２で生成された白色光は、蛍光体部３で更に波長変換処理がなされて所望の色温度の光に変換される。つまり、光源として白色ＬＥＤ１を用いた場合には、所望の色温度の光を得るために波長変換処理が２回行われる。
【００７６】
従って、光源として青色ＬＥＤ８を用いた本実施形態の照明器具では、光源として白色ＬＥＤ１を用いた場合に比べて、波長変換処理が行われる回数が少ないため、当該波長変換処理が行われる蛍光体層での拡散ロス、或いは、透過ロスが抑えられる。そのため、光源として青色ＬＥＤ８を用いることで、蛍光体部９から照射される光の光束を増大させることができる。
【００７７】
ここで、例えば、青色ＬＥＤ８と透過板９１Ｄとを用いて色温度３５００Ｋの温白色を励起発光させた場合、白色ＬＥＤ１と透過板７１Ｂとを用いて色温度３５００Ｋの温白色を励起発光させた場合に比べて約３％高い光束を得ることができた。
【００７８】
また、青色ＬＥＤ８と透過板９１Ｅとを用いて色温度２８００Ｋの電球色を励起発光させた場合、白色ＬＥＤ１と透過板７１Ｃとを用いて色温度２８００Ｋの電球色を励起発光させた場合に比べて約５％高い光束を得ることができた。
【００７９】
また、青色ＬＥＤ９の代わりに紫外ＬＥＤを用いると共に、蛍光体部９に半値幅の広い青色蛍光体、緑色蛍光体、赤色蛍光体を設けることで、平均演色評価数Ｒａが９５以上の高演色性の照明器具を得ることができる。ここで、上記青色蛍光体としては、例えばＢＡＭ蛍光体（化学式ＢａＭｇＡｌ１０Ｏ１７：Ｅｕ）が用いられる。また、緑色蛍光体としては、例えばＭｎＢＡＭ蛍光体（化学式ＢａＭｇＡｌ１０Ｏ１７：Ｅｕ、Ｍｎ）が用いられ、赤色蛍光体としては、例えばＣＡＳＮ蛍光体（化学式ＣａＡｌＳｉＮ３：Ｅｕ）が用いられる。なお、本実施形態では、光源として、複数の青色ＬＥＤ８を用いた照明器具と、複数の紫外ＬＥＤを用いた照明器具について説明を行ったが、青色ＬＥＤ８と紫外ＬＥＤとを組み合わせた光源を使用してもよい。
【符号の説明】
【００８０】
１  ＬＥＤ（光源）
２  支持体
３  蛍光体部
２２  嵌装部
３０  透過板
３０Ａ  赤色蛍光体部（蛍光体層）
３０Ｂ  透明部
３０ａ  角部
６１  角筒体（第一の筒体）
６２  円筒体（第二の筒体）
６２１  円弧部
【図１】
2011222319.tif 000003
【図２】
2011222319.tif 000004
【図３】
2011222319.tif 000005
【図４】
2011222319.tif 000006
【図５】
2011222319.tif 000007
【図６】
2011222319.tif 000008
【図７】
2011222319.tif 000009
【図８】
2011222319.tif 000010
【図９】
2011222319.tif 000011